(57)【要約】 【課題】本発明は、外観構造での拡大が回避可能なモータファンの高性能化実現を課題とする。【解決手段】本発明に成るモータファンは、回転子ハブ底面中央部に軸受箱が形成され、該軸受箱に１個もしくは２個のボールベアリングが嵌着されると共に、筐体に保持された支軸がその外周面に固定子を固着すると共に、前記軸受箱に嵌着された軸受を介して回転子を軸支するように構成され、当該ボールベアリングが、支軸外周面への溝形成により、該溝に嵌着されるトメワ及び内輪端面に当接する弾性部材を介して挟持されるように構成されている。【選択図】        図１
2008111382.tif 000002
【特許請求の範囲】
【請求項１】
通風路を形成する筐体と、該筐体内部に配置された回転自在の羽根車と、該羽根車を駆動するモータとを有し、該モータが、前記羽根車と一体を成し永久磁石及び該永久磁石を保持する回転子ハブを備える回転子と、該回転子を軸支するボールベアリングと、前記回転子の内周面に小空隙を介し対向して固定保持される固定子とを有するモータファンにおいて、
前記回転子ハブ底面中央部に軸受箱を構成するボス部が形成され、
前記軸受箱に軸受が嵌着され、
前記筐体に固定された支軸が、その外周面で固定子を保持すると共に、前記軸受箱に嵌着された軸受を介して回転子を軸支するように構成されていること、
を特徴とするモータファン。
【請求項２】
前記軸受箱に嵌着保持される軸受が、単一のボールベアリングであること、
を特徴とする請求項１に記載のモータファン。
【請求項３】
前記軸受箱に保持される軸受が、支軸外周面への対を成す溝形成により、該両溝に嵌着されるトメワ及び内輪片端に当接する弾性部材を介して挟持されていること、を特徴とする請求項２に記載のモータファン。
【請求項４】
前記軸受箱に嵌着保持される軸受が、２個のボールベアリングであること、
を特徴とする請求項１に記載のモータファン。
【請求項５】
前記軸受箱に保持される軸受が、支軸端部外周面への溝形成により、該溝に嵌着されるトメワ及び内輪他端に当接する弾性部材を介して挟持されていること、を特徴とする請求項４に記載のモータファン。
【発明の詳細な説明】
【技術分野】
【０００１】
本発明はモータファンの性能向上に係る軸受構造の改良に関する。
【背景技術】
【０００２】
【特許文献１】特開２００１−２４１３９５号公報）
【０００３】
本願発明に係る電子機器等の冷却手段として供されるモータファンの高性能化に係る、モータ性能向上のニーズが留まることはないのが実態と言える。
【０００４】
図３に、遠心ファン０での例の周知構成の半断面図を示すが、モータファン０の高性能化に係る要素として、モータ３の高出力・小型化が重要な要件であることに疑いの余地はない。
【０００５】
そして、上述モータ３の高出力・小型化に関わる構成としての固定子鉄心３−１の体積増加に伴う溝面積・磁路断面拡大に着目する。
【発明の開示】
【発明が解決しようとする課題】
【０００６】
上述のように、従来技術に成るモータファン改良での課題として、当該モータ３を形成する固定子鉄心３−１の体積増加による、磁路面積の拡大や溝面積拡大での固定子巻線３−２の銅量増加がある。
【課題を解決するための手段】
【０００７】
本発明に成るモータファンは、回転子ハブ底面中央部に軸受箱を構成するボス部が形成され、前記軸受箱に軸受が嵌着されると共に、前記筐体に固定保持された支軸がその外周に固定子を固着すると共に前記軸受箱に嵌着された軸受を介して回転子を軸支するように構成され、好ましくは、
【０００８】
前記軸受が、１個のボールベアリングであり、該ボールベアリングが、支軸外周面への対の溝形成により、該両溝に嵌着されるトメワ及び内輪片端に当接する弾性部材を介して挟持され、又は、
【０００９】
前記軸受が、２個のボールベアリングであり、該ボールベアリングが、支軸端部外周面への溝形成により、該溝に嵌着されるトメワ及び内輪他端に当接する弾性部材を介して挟持されるように構成される。
【発明の効果】
【００１０】
本発明に成るモータファンは、外観寸法の拡大を回避可能な高性能化を実現できる。
【００１１】
遠心ファン・軸流ファンに拘わらずモータファン０の外観構造の大きさに影響するモータ３の特性が、当該モーターファン０の性能に直接関与することから、モータファン０の性能向上を図りながら外観寸法の拡大を抑制するには、モータ３の大型化を回避した特性改善が必須であることは自明である。
【００１２】
本願の骨子は、外転形モータの特徴である軸受構造としては、周知のように当該モータ固定子の内周面側に配置されると、当該モータ３の性能向上の大きな要件である固定子鉄心３−１の体積への影響が避けられないので、内径縮小による体積増大化、これに伴う溝面積拡大による固定子巻線３−２の増量や磁路断面積拡大による磁気抵抗減少を図るもので、上記目的を実現する手段として固定子鉄心３−１の内周面に位置する軸受を、所謂軸固定方式として、側端部外側に配置しようとするものである。
【発明を実施するための最良の形態】
【００１３】
以下図面により本発明の実施例を説明する。
【実施例１】
【００１４】
図１は本願発明に係るモータファンの一例となる遠心ファンの半断面図である。
【００１５】
本願発明は、モータファンのサイズ拡大を回避しながらの高性能化のために、モータを、所謂軸固定方式とするもので、回転子ハブ底面中央部に軸受箱を形成するボス部が形成され、前記軸受箱に単一のボールベアリングが嵌着され、前記筐体に固定保持された支軸がその外周に固定子を固着すると共に前記軸受箱に嵌着されたボールベアリングを介して回転子を軸支するように構成され、該ボールベアリングが、支軸外周面への対の溝形成により、該両溝に嵌着されるトメワ及び内輪片端に当接する弾性部材を介して挟持されるように構成されている。
【実施例２】
【００１６】
図２は、第２の実施例で、上述第１の例に対し、軸受箱に嵌着されるボールベアリングを２個とするもので、該対のボールベアリングが、支軸端部外周面への溝形成により、該溝に嵌着されるトメワ及び内輪他端に当接する弾性部材を介して挟持されるように構成されている。
【００１７】
いずれも、上述の通り軸固定式として回転子ハブに軸受箱を形成し、軸受保持部を固定子鉄心内周から側端部外側に移すことで、当該固定子鉄心３−１の体積増加による、磁路面積の拡大や溝面積拡大での固定子巻線３−２の銅量増加を実現可能とするものである。
【００１８】
また、上述モータファンとして、遠心ファンの例を示すが、軸流ファンにも適用可能なことは言うまでもない。
【００１９】
なお、モータ・駆動回路・回転部を形成する羽根車や回転子ハブ・永久磁石等、遠心ファン全体の構成については、従来周知のものであるので詳細は省く。
【産業上の利用可能性】
【００２０】
本発明に成るモータファンは、外観寸法の拡大を伴うことなしに、モータ従ってモータファンの性能向上を実現することが出来、実装条件の拡大が可能となる。
【図面の簡単な説明】
【００２１】
【図１】本発明に成るモータファンの例として示す、遠心ファンの半断面図である。
【図２】本願発明に成る第２の例の半断面図である。
【図３】本願発明に係る従来技術の例の半断面図である。
【符号の説明】
【００２２】
０        モータファン（遠心ファン）
１        筐体
２        羽根車
３        モータ
３−１    固定子鉄心
３−２    固定子巻線
３−３    絶縁部材（スロットゼツ）
３−４    回転子ハブ
３−４１  軸受箱（回転子ハブのボス部）
３−５    回転子永久磁石
４        駆動回路
５        支軸
５−１    支軸の溝
６        ボールベアリング
７        弾性部材
８        トメワ
【図１】
2008111382.tif 000003
【図２】
2008111382.tif 000004
【図３】
2008111382.tif 000005